(57)【要約】【課題】  吸脂性に非常に優れるとともに、極めてしなやかな肌触りがあり、付与された絵柄によって使用の前及びその途中で脂取りを楽しく実施できる化粧用脂取りシートを提供すること。【解決手段】  プラスチック材料の多孔質延伸フィルムからなり、前記プラスチックフィルムに、そのプラスチックフィルムの空孔を少なくとも部分的に充填して該プラスチックフィルムに対して絵柄を付与する量の画像形成性オイル剤が適用されて画像領域が形成されているように構成する。【選択図】      図１
2006187513.tif 000002
【特許請求の範囲】
【請求項１】
プラスチック材料の多孔質延伸フィルムからなり、
前記プラスチックフィルムに、そのプラスチックフィルムの空孔を少なくとも部分的に充填して該プラスチックフィルムに対して絵柄を付与する量の画像形成性オイル剤が適用されて画像領域が形成されていることを特徴とする化粧用脂取りシート。
【請求項２】
前記画像形成性オイル剤の粘度が、２０℃において１０ｃｐ以上であることを特徴とする請求項１に記載の化粧用脂取りシート。
【請求項３】
前記プラスチックフィルムにおいて、前記画像領域と前記画像形成性オイル剤が適用されていない非画像領域との間のΔＬ*値が２．３以上であることを特徴とする請求項１又は２に記載の化粧用脂取りシート。
【請求項４】
互いに組み合わさった複数の画像領域を備え、かつそれぞれの画像領域に、同一もしくは異なる画像形成性オイル剤が、同一もしくは異なる量で適用されていることを特徴とする請求項１〜３のいずれか１項に記載の化粧用脂取りシート。
【請求項５】
前記プラスチックフィルムにおいて、そのフィルムの単位面積（１ｃｍ2）当たりの空隙体積が、次式：
単位面積当たりの空隙体積＝〔フィルムの厚さ（cm）×１（cm）×１（cm）×空孔率（％）〕÷１００
で計算して、０．０００１〜０．００５ｃｍ3／ｃｍ2の範囲にあることを特徴とする請求項１〜４のいずれか１項に記載の化粧用脂取りシート。
【請求項６】
前記プラスチックフィルムの空孔率が、５〜５０％の範囲にあることを特徴とする請求項１〜５のいずれか１項に記載の化粧用脂取りシート。
【請求項７】
前記プラスチックフィルムの厚さが５〜２００μｍの範囲にあることを特徴とする請求項１〜６のいずれか１項に記載の化粧用脂取りシート。
【発明の詳細な説明】
【技術分野】
【０００１】
本発明は化粧用脂取りシートに関し、さらに詳しく述べると、顔面に浮き出した皮膚の脂分（皮脂分）を拭き取るための化粧用脂取りシートに関する。本発明による脂取りシートは、吸脂性に非常に優れるとともに、シートの透明化により吸脂状態を容易に確認することができ、極めてしなやかな肌触りがあり、皮膚に対する刺激が少なく、また、顔面清拭効果に優れるので、化粧料の馴染み及びのりも良好である。特に本発明の脂取りシートは、それに付与した絵柄の透明度もしくは色が吸脂の前後で変化するので、使用前には絵柄の存在を楽しみ、使用中には絵柄の変化を楽しむことができる。また、絵柄を付与した部分は、それ以外の部分とは異なる吸脂性能を示すので、顔面の皮脂分が比較的に少ない使用者も、多脂性の使用者と同様に脂取り時に十分な満足度を達成することができる。
【背景技術】
【０００２】
従来、顔面、特に鼻、頬、額、眉間等の部位に浮き出した皮脂分を拭き取って顔面を清浄に保ち、かつ化粧料の馴染み及びのりを良くするため、いろいろなタイプの化粧用脂取り紙が使用されていることは周知の通りである。いままで市販されている脂取り紙の多くは、麻、合成パルプ等の植物繊維を抄紙して得た紙類からなるものである。しかし、これらの脂取り紙は、高い吸脂性を有しているけれども、原料繊維の硬さ及び表面粗さに原因して皮膚に対する刺激が高いという欠点がある。そして、この皮膚に対する刺激性を改善すべく、脂取り紙の製造時、紙をロールプレスしたり、紙の表面に炭酸カルシウム粉末等の無機粉末を糊剤とともに塗布することが行われている。しかし、前者には、ロールプレスにより押し潰した繊維が経時的に起毛状態となり、再び皮膚を刺激するという欠点があり、また、後者には、紙の表面が糊剤に覆われるために皮脂分の吸収能力の低下を回避できないという欠点がある。このような欠点は、同じく市販されている、熱可塑性樹脂の不織布からなる脂取り紙においても避けることができない。
【０００３】
本発明者らの研究開発グループは、これらの欠点を解決するものとして、まったく画期的な発見であるが、特許文献１に開示されるように、熱可塑性プラスチック材料の多孔質延伸フィルムからなり、その際、前記多孔質延伸フィルムが充填剤を含有し、前記多孔質延伸フィルムの単位面積当たりの空隙体積が、０．０００１〜０．００５cm3 の範囲にあり、かつ前記多孔質延伸フィルム中に占める空孔の孔径が０．２〜５μｍの範囲であることを特徴とする化粧用脂取りシートを発明している。この発明の脂取りシートは、原材料として添加した充填剤を製造工程において除去することなく積極的に残すように設計した結果、吸脂性に優れ、使用中に破損することがなく、吸脂すると透明化して吸脂効果を明確に確認でき、使用者に十分な拭き取り感、満足感を与えることができ、肌触りもよく、そして特性の改良等を目的として、シート表面に粉粒体等を付着させることも必要ないので、近年急速に普及している。
【０００４】
また、本発明者らの研究開発グループは、特許文献２に開示されるような、使用者の皮膚又は毛髪を清拭するのに好適な吸油性ワイプも発明している。この吸油性ワイプは、熱可塑性材料の吸油性多孔質フィルム状基材を含み、その多孔質基材が、油が付着すると透明度又は色が変化し、かつ表面積の少なくとも一部、少なくとも１％に油ベースのコーティングを有することを特徴とする。この吸油性ワイプは、例えば植物油、合成油又はそのブレンドを多孔質基材の表面にコーティングしたので、コーティングを有しないものに比較してより少ない吸油量でもすばやく透明化することができるという効果（迅速な吸油表示機能）が得られる。
【０００５】
一方、特許文献３は、（Ａ）植物繊維を主成分とするパルプ原料１００重量部に、（Ｂ）無機質填料５０重量部以下を配合してなる紙料を調成し、抄紙して得られる、緊度が０．６以上の紙の少なくとも一方の面の一部に例えば石油系炭化水素樹脂などの透明化剤を印刷模様に塗布してなる化粧用脂取り紙を開示している。また、特許文献４は、（Ａ）植物繊維を主成分とするパルプ原料１００重量部に、（Ｂ）無機質填料５０重量部以下を配合してなる紙料を調成し、抄紙して得られる、緊度が０．６以上の紙の少なくとも一方の面の一部に例えば石油系炭化水素樹脂などの透明化剤及び例えばフルオロカーボン系化合物などの耐油剤をそれぞれ異なった印刷模様に塗布してなる化粧用脂取り紙を開示している。これらの脂取り紙では、透明化剤を印刷模様に塗布したことで、使用時に印刷模様が透明化し、消えることにより皮脂の吸収効果をさらに明確に確認できるという効果（インジケータ機能）が得られる。
【０００６】
【特許文献１】特開平１１−２３９５１７号公報（特許請求の範囲）
【特許文献２】ＷＯ０３／０４３５９０パンフレット（特許請求の範囲）
【特許文献３】特開２００３−２０４８２４号公報（特許請求の範囲）
【特許文献４】特開２００３−２０４８２５号公報（特許請求の範囲）
【発明の開示】
【発明が解決しようとする課題】
【０００７】
化粧用の脂取り紙、脂取りシートなど（以下、「脂取りシート類」という）が広く使用されるようになるとともに、新たな付加価値をもった脂取りシート類の要求がでてきている。本発明者らは、この要求に対応すべく研究の結果、脂取りシート類に絵柄を付与し、使用の楽しみを使用者に与えることに着目した。しかし、従来の脂取りシート類は、絵柄の付与に不適当である。例えば、特許文献１に記載の化粧用脂取りシートでは、充填剤として鉱油などのオイルを含有しているので、通常の印刷インキは非常に定着しにくく、また剥れ易いという問題があり、所望の絵柄をインクの印刷により付与することは困難である。また、脂取りシートと相性のよいインクがあったとしても、そのインクが使用者の皮膚に安全か否かを確認する必要があり、実施の妨げになっている。
【０００８】
また、本発明者らは、特許文献２に記載の吸油性ワイプにおいて、油ベースのコーティングをもって絵柄の付与が可能か否か検討したけれども、絵柄の形成に好適な油の選択においてさらに研究が必要であることが判明した。例えば、提案されている油をそのまま吸油性ワイプの絵柄の形成に使用した場合、あるいは印刷方法によっては、経時的に絵柄が消失したり、不明瞭に変化したりする可能性があるからである。
【０００９】
さらに、特許文献３及び４においては脂取り紙に透明化剤を印刷模様に塗布することが提案されているけれども、これらの脂取り紙のベースは、植物繊維であるので、原料繊維の硬さ及び表面粗さに原因して皮膚に対する刺激が高いという欠点があり、本発明の目的に合致していない。さらに、これらの特許文献で使用が提案されている透明化剤は、それが本発明の実施で使用が予定される多孔質延伸プラスチックフィルムにおいて所望とする絵柄を提供し得るか否か不明であり、さらなる検討が必要である。
【００１０】
本発明の目的は、したがって、吸脂性に非常に優れ、シートの透明化により吸脂状態を容易に確認することができ、極めてしなやかな肌触りがあり、皮膚に対する刺激が少なく、また、顔面清拭効果に優れるばかりでなく、付与された絵柄によって使用の前後における楽しみという付加価値が備わった化粧用脂取りシートを提供することにある。
【００１１】
また、本発明の目的は、多脂性の使用者が機能的及び視覚的に脂取り効果を満足できることはもちろんのこと、顔面の皮脂分が比較的に少ない使用者に対しても同様に十分な満足度を与えることのできる化粧用脂取りシートを提供することにある。
【課題を解決するための手段】
【００１２】
本発明らは、上記した目的を解決すべく鋭意研究した結果、化粧用脂取りシートを充填剤由来の空孔を有する吸脂性の多孔質延伸プラスチックフィルムから形成するとともに、特定の物性を有するオイル剤を脂取り用の空孔に含ませることで絵柄を形成することが非常に有効であることを発見し、本発明を完成した。
【００１３】
本発明は、したがって、プラスチック材料の多孔質延伸フィルムからなり、
前記プラスチックフィルムに、そのプラスチックフィルムの空孔を少なくとも部分的に充填して該プラスチックフィルムに対して絵柄を付与する量の画像形成オイル剤が適用されて画像領域が形成されていることを特徴とする化粧用脂取りシートにある。
【発明の効果】
【００１４】
以下の詳細な説明から理解されるように、本発明によれば、吸脂性に非常に優れるとともに、シートの透明化により吸脂状態を容易に確認でき、極めてしなやかな肌触りがあり、皮膚に対する刺激が少なく、また、顔面清拭効果に優れた化粧用脂取りシートが得られる。
【００１５】
また、本発明によれば、脂取りシートに付与した絵柄の透明度もしくは色が吸脂の前後で変化するので、使用前には絵柄の存在を楽しみ、使用中には絵柄の変化を楽しむことができる。さらに、絵柄を付与した部分は、すでに空孔部分にオイル剤が充填されているので、絵柄を有しない部分よりも吸脂量を少なくでき、よって、顔面の皮脂分が比較的に少ない使用者も、多脂性の使用者と同様に脂取り時に十分な満足度を達成することができる。
【００１６】
また、オイル剤は、印刷インキなどに比べて皮膚に対する安全性が比較的に高く、よって、例えば化粧品等において一般的に使用されているオイル類を使用することができ、本発明の実施が容易にかつ低コストで可能である。
【００１７】
さらに、オイル剤は、脂取りシートの表面に残留することなく空孔中に移動し、保持されるので、絵柄の付与によって表面がべたつくことがなく、したがって、使用感が損なわれることがなければ、シートがブロッキングすることもない。
【００１８】
さらにまた、オイル剤は、例えばフレキソ印刷やグラビア印刷のような簡単な印刷方法によって印刷し、絵柄を付与することができるので、化粧用脂取りシートの大量生産が簡単かつ有利に可能である。
【発明を実施するための最良の形態】
【００１９】
本発明による化粧用脂取りシートは、いろいろな形態で有利に実施することができる。以下、本発明をその典型的な実施形態を参照して説明する。
【００２０】
最初に、添付の図１及び図２を参照して本発明の化粧用脂取りシートの概略を説明する。本発明の化粧用脂取りシート１０は、図１に示されるように、基材としての多孔質延伸プラスチックフィルム１からなる。プラスチックフィルム１は、図示しないけれども、その内部にほぼ均一に分散せしめられた多数の微細な空孔（本発明では「細孔」ともいう）を有している。空孔は、フィルム製造時、フィルム原料に溶融混合された充填剤の少なくとも一部をその製造工程において除去することによって形成されたものである。
【００２１】
プラスチックフィルム１は、好ましくは使用者のニーズに応えた任意の色で着色されている。特に本発明の脂取りシート１０の場合、プラスチックフィルム１が任意の色を有することに加えて、使用前と使用後で見え方が異なる絵柄１１〜１３を備えている。絵柄（本発明では、この部分を特に「画像領域」という）は、プラスチックフィルム１の予め定められた画像形成領域（すなわち、絵柄の付与が予定されている領域）に画像形成性の特定のオイル剤を適用することによって形成することができる。オイル剤の適用は、任意の方法によって行うことができるが、好ましくは塗工法であり、特に印刷法である。オイル剤の適用によって、プラスチックフィルム１にすでに形成されている空孔の一部もしくは全部にオイル剤が充填され、画像形成領域に形成された所望の絵柄を視認することができる。本発明の脂取りシート１０は、図示のように色合いや色濃度を異にし、また図示しないけれどもパターンを異にする複数種及び複数個（図では、３種類、６個）の絵柄１１〜１３を備えているので、視覚的に良好な外観を有している。よって、無地で味気のない従来品では経験されなかったことであるけれども、商品価値を高めることができ、かつ使用者は印刷された絵柄を楽しむことができる。
【００２２】
図２は、図１に示した化粧用脂取りシート１０の使用後の状態を示したものである。なお、図では、吸脂作用の理解を容易にするため、脂取りシート１０の全体に皮脂がほぼ均一に吸い取られた状態がしめされている。すなわち、脂取りシート１０は、画像領域１１〜１３とそれ以外の領域（画像形成性オイルが印刷されていない吸脂性非画像領域）とを有するけれども、その両方に皮脂が吸い取られるので、それらの領域における透明度もしくは色の変化によって脂取りの事実や程度を使用者が容易に確認することができる。さらに、本発明の脂取りシート１０では、空孔の部分にさらに特定のオイル剤を充填した画像領域１１〜１３を有しているので、それらの画像領域の透明度もしくは色の変化に基づく追加の視認効果を得ることができる。すなわち、画像領域と非画像領域における透明度もしくは色の変化の差や、画像領域における絵柄の変化によって、例えば絵柄そのものが消失すること（具体的には、絵柄が非画像領域の色に取り込まれて、見かけ上消失した状態となること）によって、絵柄が変化していくことを使用者が楽しむことができる。また、画像領域は、オイル剤を皮脂とみなすことで理解できるように、脂取りシート１０にすでに少量の皮脂が吸い取られている状態であると考えることができ、よって、通常の無地の脂取りシートの使用では吸脂効果を十分に認めることができなかった少脂性の使用者も、画像領域の透明度もしくは色の変化によって吸脂効果の事実を十分に認めることができる。
【００２３】
本発明による化粧用脂取りシートは、第１に、その基材として、従来の脂取り紙のように植物繊維などに由来する紙基材に代えて、プラスチック材料を使用し、しかもそのプレスチック材料を多孔質延伸プラスチックフィルムの形としたことを特徴としている。本発明の多孔質延伸プラスチックフィルムは、プラスチック材料を出発物質として使用していろいろな手法に従って製造することができるというものの、好ましくは、透明性の高い結晶性熱可塑性樹脂に充填剤を添加して主原料とし、これを成膜してプラスチックフィルムとなし、さらにこのフィルムを延伸し、微細な空孔を付与することによって製造できる。
【００２４】
得られた多孔質延伸プラスチックフィルムは、シートの体積に占める空間の割合が従来の脂取り紙と比較して大きいので、皮膚表面の皮脂分の吸脂性に優れており、また、したがって、単位面積当たりの吸脂量が顕著に大である。また、このプラスチックフィルムは、多数個の微細な空孔を均一に含有する構造を有しているので、皮膚表面の皮脂分を拭き取る前には、光の拡散に原因して不透明性を呈示し、しかし、吸脂後には、それぞれの空孔に皮脂分が充填されて光の拡散が防止ないし緩和されるので、フィルム本体の本来の性質である透明性が相俟って、吸脂効果を明確に確認することが可能になる。
【００２５】
本発明の多孔質延伸プラスチックフィルムを製造するに当たり、原料として使用する透明性の高い結晶性熱可塑性樹脂の好ましい例は、以下に列挙するものに限定されないけれども、ポリオレフィン類、例えば高密度ポリエチレン、ポリプロピレン、ポリブチレン、ポリ−４−メチルペンテン、エチレン−プロピレンブロック共重合体などを包含する。このようなポリオレフィン類のなかでも、成膜時に溶融強さを有する点において、変性ポリプロピレンが原料として最適である。
【００２６】
また、得られる脂取りシートに対して優れた柔らかさ（肌触り）や良好な成形性を付与することを考慮した場合には、特にポリエチレン樹脂を原料として使用するのが好適である。原料として使用されるポリエチレン樹脂は、特に限定されるものではない。適当なポリエチレン樹脂の例は、以下に列挙するものに限定されないけれども、高密度ポリエチレン、低密度ポリエチレン、線状低密度ポリエチレン、超高分子量ポリエチレン、ポリプロピレン、ポリブチレン、ポリ−４−メチルペンテン、ポリエステル、エチレン−プロピレンブロック共重合体などを包含する。これらのポリエチレン樹脂は、単独で使用してもよく、２種以上を共重合させたり混合したりして使用してもよい。特に、高密度ポリエチレンと超高分子量ポリエチレンを組み合わせて原料として使用するのが、成膜時に顕著な溶融強さを発現できるので、最適である。本発明の実施には、原料樹脂の全体が上述のようなポリエチレン樹脂からなるのが好ましいが、必要ならば、このようなポリエチレン樹脂にその他のタイプの樹脂を併用し、本発明の別の作用効果を得てもよい。
【００２７】
また、微細な空孔の付与のために上記した熱可塑性樹脂と組み合わせて用いられる充填剤も、特に限定されるわけではなく、有機の充填剤又は無機の充填剤を任意に使用することができる。適当な有機充填剤の例は、以下に列挙するものに限定されるわけではないけれども、鉱油、流動パラフィン、グリセリン、石油ゼリー、ポリエチレンオキサイド、ポリプロピレンオキサイド、ポリテトラメチレンオキサイド、軟質カルボワックスなどを包含する。これらの有機充填剤のなかでは、吸脂時の透明性の発現の点から、鉱油が好適である。また、適当な無機充填剤の例は、以下に列挙するものに限定されるわけではないけれども、炭酸カルシウム、硫酸バリウム、酸化チタン、タルクなどを包含する。これらの充填剤は、単独で使用してもよく、２種以上を混合して使用してもよい。
【００２８】
上記した充填剤は、フィルムの製造時、使用する原料中でいろいろな添加量で使用することができる。充填剤の添加量は、好ましくは、原料の合計重量を基準にして約２０〜９０重量％の範囲であり、より好ましくは約４０〜８０重量％の範囲であり、最も好ましくは約２５〜４０重量％の範囲である。ここで、原料に対する充填剤の添加量が２０重量％を下回ると、延伸後に得られるフィルムの空孔率が低下するために吸脂量が低下してしまい、反対に９０重量％を上回ると、成膜が困難となり、また脆いフィルムしか得られなくなる。
【００２９】
さらに、多孔質延伸プラスチックフィルムを製造するに当たり、上述の主原料に必要に応じて任意の添加剤を併用してもよい。例えば、主原料の結晶化を容易にする目的で、有機核剤又は無機核剤を添加してもよい。適当な有機核剤としては、例えば、カルボン酸、スルホン酸、ホスホン酸等の有機酸、あるいは有機アルコールなどを挙げることができる。また、適当な無機核剤としては、例えば、酸化チタン、炭酸カルシウム、タルクなどを挙げることができる。その他の適当な添加剤としては、例えば、顔料、例えば無機顔料又は有機顔料、老化防止剤、酸化防止剤、帯電防止剤、香料などを挙げることができる。これらの添加剤は、通常、原料に対してその合計重量の約０．５〜１０重量％の範囲で使用される。
【００３０】
本発明の実施では、上記した添加剤のうちでも特に顔料の存在に着目することができる。顔料を添加することで本発明の脂取りシートの明度をＣＩＥ  Ｌ*ａ*ｂ*表色系のＬ*値で表して５０．０〜９０．０の範囲に設定でき、よって吸脂効果の確認が極めて容易に、かつ正確に可能となるからである。また、必要なら、顔料に染料を併用してもよい。
【００３１】
脂取りシートにおいて、吸脂効果の確認は、通常、吸脂前のシート（多孔質延伸フィルム）と吸脂後のシートとの間で透明度もしくは色の相違を比較することによって、特に明度の相違を肉眼で認識することによって行われる。ここで、脂取りシートの明度は、ＣＩＥ  Ｌ*ａ*ｂ*表色系のＬ*値で表すことが便宜である。よって、吸脂前のシートのＬ*値から吸脂後のシートのＬ*値を減じて得られる差、ΔＬ*値が大きい脂取りシートほど、吸脂効果の確認を明確に、かつ容易に行うことが可能である。ここで、添加する顔料はその種類や添加量が限定されるものではないが、適当な顔料は、例えば、酸化鉄、カーボンブラック、ウルトラマリンなどの無機顔料、あるいはフタロシアニンブルー、キナクリドンレッド、アゾ系レッド、モノアゾイエロー、フタロシアニングリーン、モリブデートオレンジなどの有機顔料を包含する。これらの顔料は、単独で使用してもよく、２種以上を混合して使用してもよい。これらの顔料の添加量は、好ましくは、約５０．０〜９０．０の範囲のＬ*値が得られるような量である。かかる顔料の添加量は、顔料の色調などによってＬ*値が変動するので一概に言うことはできないが、一般的には、その他の添加剤と同様に、原料の合計重量の０．５〜１０重量％の範囲で添加するのが好ましい。
【００３２】
脂取りシートにおいて、吸脂前のシートのＬ*値が大きくなる（すなわち、白色に近くなる）と、ΔＬ*値が小さくなり、反対に吸脂前のシートのＬ*値が小さくなる（すなわち、黒色に近くなる）と、ΔＬ*値が大きくなる。ここで、吸脂前のシートのＬ*値が９０．０より大きくなると、ΔＬ*値が極めて小さくなり、化粧用脂取りシートとして使用した時に吸脂効果の確認が困難となる。反対に吸脂前のシートのＬ*値が５０．０より小さくなると、ΔＬ*値が増加する結果、黒色に極めて近い色となり、本来清潔感が重視される脂取りシートにおいて悪い使用感を使用者に与えることとなる。黒っぽいあるいは暗色の脂取りシートを手に取った使用者は、シートの顔料が皮膚に転写されるのではとの危惧をもつことであろう。
【００３３】
ところで、本発明による化粧用脂取りシートでは、上述のような吸脂効果の確認、すなわち、吸脂前のシートと吸脂後のシートとの間の透明度あるいは色の相違に基づく吸脂効果の確認に組み合わせて、別の面からも吸脂効果を確認することができる。すなわち、以下に詳細に説明するように、本発明によれば、プラスチックフィルムの予め定められた画像形成領域に、そのプラスチックフィルムの空孔を少なくとも部分的に充填して該プラスチックフィルムに対して絵柄を付与する量の画像形成オイル剤が印刷されて画像領域が形成されるけれども、この画像領域に特有の透明度あるいは色の変化に基づいて、さらには画像領域と画像形成性オイル剤が印刷されていない非画像領域との間の透明度あるいは色の変化の差に基づいて、本発明に特有の吸脂効果を確認することができる。
【００３４】
所定量の充填剤を含有する多孔質延伸プラスチックフィルムを得るため、上記したような主原料及び任意の添加剤を溶融混合して成膜する。この溶融混合工程及び引き続く成膜工程は、常法に従って行うことができる。例えば、適当な溶融混合法として、一軸あるいは二軸押出し機による混合、ニーダーによる混練などを挙げることができ、また、適当な成膜方法として、インフレーション法、キャスト法などを挙げることができる。例えば、インフレーション法は、上記した主原料等を溶融混合した後、円形のダイより吹き上げて筒状に成膜することができる。キャスト法は、主原料等を溶融混合した後、ダイよりチルロール（冷却ロール）上に押し出して成膜することができる。
【００３５】
次いで、成膜後のプラスチックフィルムに微細な空孔を付与するため、そのプラスチックフィルムを延伸する。延伸工程は、成膜工程と同様、常法に従って行うことができる。例えば、適当な延伸法として、一軸延伸あるいは二軸延伸を挙げることができる。延伸倍率は、好ましくは、面倍率で約１．５〜３６倍の範囲であり、さらに好ましくは、約２〜２５倍の範囲であり、最も好ましくは、約３〜１０倍の範囲である。延伸倍率が１．５倍を下回ると、吸脂のための十分な空孔率及び空隙体積が得られず、反対に３６倍を上回ると、延伸作業が困難となるとともに、フィルムが硬くなる傾向がある。
【００３６】
また、プラスチックフィルムのこの延伸工程は、以下の条件に限定されるものではないけれども、延伸後のフィルムの厚さが約５〜２００μm の範囲となるように延伸するのが好ましい。フィルムの厚さが５μm を下回ると、空隙体積が低下し吸脂量が低下すると同時に、フィルムにコシがなくなり、顔面や指先などにまとわりつくようになる。反対に厚さが２００μm を上回ると、吸脂量が大きすぎて、効果の確認が困難となる。
【００３７】
本発明では、多孔質延伸プラスチックフィルムの製造工程において、充填剤は、そのまま空孔中に残存させてもよく、さもなければ充填剤の一部をフィルムの空孔から選択的に除去してもよい。充填剤の除去は、例えば、フィルム成膜後であって上記の延伸工程の前、延伸工程の途中あるいは延伸工程の後において実施することができる。また、このような成膜−延伸の一連の工程に組み込んで充填剤の除去を行うのではなくて、かかる工程とは独立した別の工程で充填剤の除去を行ってもよい。ただし、工程の簡略化のため、もしも充填剤を除去するのであれば、延伸工程の後に充填剤の除去を実施するのが有利である。
【００３８】
充填剤の除去は、いろいろな方法で実施することができるというものの、充填剤含有の多孔質プラスチックフィルムを溶剤で洗浄し、溶解もしくは抽出によって除去するのが一般的に有用である。ここで使用する溶剤は、除去すべき充填剤との関係において任意に変更可能であるけれども、通常、例えばトリフルオロエタン、ヘプタン、トルエン、メチルエチルケトン、イソプロピルアルコール、エチルアルコール、水、酸、アルカリなどを包含する。これらの溶剤は、単独で私有してもよく、２種以上の溶剤を任意の混合比で混合して使用してもよい。プラスチックフィルムに対する溶剤の適用方法としては、例えば、含浸法、スプレー法、シャワー法、コーティング法などを挙げることができる。
【００３９】
得られる多孔質延伸プラスチックフィルムにおいて、そのフィルムの空孔は、空隙体積で規定することができる。すなわち、多孔質延伸プラスチックフィルムの単位面積（１ｃｍ2）当たりの空隙体積は、好ましくは、次式：
単位面積当たりの空隙体積＝〔フィルムの厚さ（cm）×１（cm）×１（cm）×空孔率（％）〕÷１００
で計算して、約０．０００１ｃｍ3／ｃｍ2以上となるような量である。換言すると、このような空隙体積が得られるように、多孔質延伸プラスチックフィルムの製造工程において充填剤の一部を選択的に除去することが好ましい。もちろん、必要ならば、充填剤を残した状態で、かかる空隙体積を得ることもできる。
【００４０】
多孔質延伸プラスチックフィルムにおいて、そのフィルムの単位面積（１ｃｍ2）当たりの空隙体積は、少なくとも約０．０００１ｃｍ3／ｃｍ2であり、好ましくは約０．０００１〜０．００５ｃｍ3／ｃｍ2の範囲であり、さらに好ましくは約０．０００２〜０．００１ｃｍ3／ｃｍ2の範囲である。多孔質フィルムの空隙体積が０．０００１ｃｍ3／ｃｍ2を下回ると、吸脂量が低下してしまい、反対に０．００５ｃｍ3／ｃｍ2を上回ると、吸脂量が多くなりすぎてしまい、吸脂効果を確認することが困難になる。
【００４１】
また、多孔質延伸プラスチックフィルムの空孔率について言うと、空孔率が約５〜５０％の範囲となるように製造条件を調整するのが好ましい。フィルムの延伸時、空孔率が５％を下回ると、最終的に得られる脂取りシートの吸脂量が低下し、不適当である。反対に空孔率が５０％を上回ると、最大吸脂量が大きくなるため、透明化を促進するために多量に皮脂を吸収する必要性が発生する。このような場合、脂取りシートの透明化が吸脂によって迅速に発現せず、したがって吸脂効果の確認が困難となり、不適当である。但し、本発明の実施において、画像形成領域の空孔には少なくとも部分的にオイル剤が充填されるので、空孔率は、必要に応じて５０％を上回ってもよく、一般的には約５〜７５％の範囲である。
【００４２】
多孔質延伸プラスチックフィルムの空孔の孔径は特に限定されない。一般的に述べて、空孔の孔径は通常約０．２〜５μm の範囲であるのが好ましい。この孔径が０．２μm を下回ると、透明化に必要な皮脂分を十分に吸収できなくなるおそれがあり、反対に５μm を上回っても吸脂効果の顕著な改善は期待できない。
【００４３】
本発明の化粧用脂取りシートは、通常、上記したような多孔質延伸プラスチックフィルムのみからなるが、必要ならば、そのプラスチックフィルムに追加の処理が施されてもよい。例えば、プラスチックフィルムの表面に親水性を付与することにより、顔面の汗やそれに溶け込んだ皮脂分を脂取りシートに容易に吸収されるように改良することができる。例えば、プラスチックフィルムの少なくとも１つの表面に、親水性液体吸収物質が少なくとも部分的に分布せしめられているように表面処理することができる。
【００４４】
本発明の化粧用脂取りシートでは、多孔質延伸プラスチックフィルムの形成後、そのプラスチックフィルムに画像形成性オイル剤を適用して絵柄（画像パターン）を備えた画像領域を形成することが必要である。すなわち、プラスチックフィルムの画像形成予定領域に、そのプラスチックフィルムに既存の空孔を少なくとも部分的に充填して該プラスチックフィルムに対して絵柄を付与する量の画像形成性オイル剤を適用して画像領域を形成する。ここで、絵柄は特に限定されるものではなく、イラスト、パターン、文字、数字、写真などあるいはその任意の組み合わせを包含する。また、絵柄は、単一の色で着色されていてもよく、２種類以上の色で着色されていてもよい。着色する場合、非画像領域の色との関連において適当な色を決定するのが好ましい。
【００４５】
画像形成性オイル剤は、所望とする絵柄の形成状態に応じて、画像領域の空孔のほぼ全部に充填してもよく、さもなければ空孔の一部に選択的に充填してもよい。オイル剤は、空孔に充填され、かつその充填状態が安定に保持されるので、化粧用脂取りシートの製造中及び保存中に表面がべたつくことがなく、よって、使用感を損なうこともなければ、シートがブロッキングすることもない。
【００４６】
また、画像形成性オイル剤は、その粘度を２０℃で測定した場合、少なくとも１０ｃｐであることが好ましい。本発明者らの実験において、プラスチックフィルムに１０ｃｐ未満の粘度を有するオイル剤を適用して絵柄を形成した場合、得られた脂取りシートにおいいて、形成後数日においオイル剤に移動が発生し、絵柄が消失してしまった。なお、粘度の上限は、オイル剤に併用する溶媒の選択によっていろいろなオイル剤を使用できるので、特に規定するに及ばない。
【００４７】
本発明の脂取りシートでは、絵柄の存在に基づく効果を最大限に引き出すため、オイル剤を適用した後のプラスチックフィルムにおいて、画像形成性オイル剤が適用されている画像領域と画像形成性オイル剤が適用されていない非画像領域との間のΔＬ*値が、少なくとも約２．３であることが好ましく、さらに好ましいΔＬ*値は少なくとも約３．２である。なお、ΔＬ*値は、空孔に埋め込まれたオイル剤の量が増加すれば増加するほど大きくなる。このように、一枚の脂取りシートにおいて、それぞれΔＬ*値が異なる複数の領域（画像領域及び非画像領域）を設けることによって、脂取りシートにほぼ同量の皮脂を吸収させたときに部分的に透明度あるいは色が変化したり変化しなかったりする状態を作り出すことができる。その結果、使用者は、吸脂効果をより顕著に確認し、楽しむことができ、また、画像領域における透明度あるいは色の変化で、比較的に皮脂が少ない使用者であっても、吸脂効果を一目で確認でき、十分な満足感を得ることができる。
【００４８】
本発明の化粧用脂取りシートを調製する場合、画像形成性オイル剤としていろいろな化学剤を使用することができる。一般的には、取り扱い性及び適用方法の多岐性などから、適用時に液体状態にある化学剤が好適である。また、使用する化学剤は、脂取りシートが使用者の皮膚に直接触れることを考慮して、皮膚に対する刺激が少ないものが好ましい。さらに、かかる化学品は、無色無臭であり、吸湿性を有しないものが好ましい。
【００４９】
本発明の実施において、多くの種類の油及びその脂肪酸誘導体を画像形成性オイル剤として使用することができる。植物油、ミネラルオイル（鉱油）又はそれらのブレンドがオイル剤として好適である。植物油としては、例えば、以下に列挙するものに限定されるわけではないけれども、杏仁油、アボガド油、バオバブ油、クロスグリ油、カレンデュラ油、カンナビスサティーバ油、キャノーラ油、大風子油、ココナッツ油、コーン油、綿実油、グレープシード油、ヘーゼルナッツ油、ハイブリッドひまわり油、硬化ココナッツ油、硬化綿実油、硬化パームカーネル油、ホホバ油、キウイ種子油、ククイナッツ油、マカデミアナッツ油、マンゴ種子油、メドウフォーム種子油、メキシカンポピー油、オリーブ油、パームカーネル油、部分硬化大豆油、桃仁油、落花生油、ペカン油、ピスタチオナッツ油、パンプキン種子油、キノア油、ラプシード油、米糠油、紅花油、サザンカ油、シーバックソーン、ゴマ油、シアバター果実油、ホソエガラシ油、大豆油、ヒマワリ種子油、胡桃油、および小麦麦芽油などを挙げることができる。また、以下に列挙するものに限定されるわけではないけれども、コッド肝油、鮫肝油、ニシン油、ミンク油、パーム油などのビタミン様の性質を有する油、人参油、シャゼンムラサキ種子油、フォミストプシス油などの皮膚保護剤の性質を有する油、ルリヂサ種子油、コフネヤシ油、レスケレラフェンドレリ油、トケイソウ油、パッションフルーツ種子油、スィートアーモンド油などのスキンコンディショニング性を有する油、マツ油などの中和剤の性質を有する油、バルバドスアロエ油、ババスーヤシ油、ブラジルナッツ油、椿油、チーア油、マンネンタケ油、硬化ひまし油、オウトウ種子油、茶油などの保湿剤の性質を有する油、牛脚油、インドセンダン種子油、ＰＥＧ−５硬化ひまし油、ＰＥＧ−４０硬化ひまし油、ＰＥＧ−２０硬化ひまし油イソステアリン酸エステル、ＰＥＧ−４０硬化ひまし油イソステアリン酸エステル、ＰＥＧ−４０硬化ひまし油ラウリン酸エステル、ＰＥＧ−５０硬化ひまし油ラウリン酸エステル、ＰＥＧ−５硬化ひまし油トリイソステアリン酸エステル、ＰＥＧ−２０硬化ひまし油トリステアリン酸エステル、ＰＥＧ−４０硬化ひまし油トリステアリン酸エステル、ＰＥＧ−５０硬化ひまし油トリステアリン酸エステル、ＰＥＧ−４０ホホバ油、ＰＥＧ−７オリーブ油、ＰＰＧ−３硬化ひまし油、ＰＰＧ−１２−ＰＥＧ−６５ラノリン油、硬化ミンク油、硬化オリーブ油、ラノリン油、マレイン酸変性大豆油、ムスクローズ油、カシューナッツ油、ひまし油、ドッグローズヒップ油、エミュー油、マツヨイグサ油、アマナズナ油などの乳化剤の性質を有する油、ＰＥＧ−ひまし油、ＰＥＧ−９ひまし油、ＰＥＧ−１５ひまし油、ＰＥＧ−２５ひまし油、ＰＥＧ−３６ひまし油、ＰＥＧ−１８ひまし油ジオレイン酸エステルなどの分散剤の性質を有する油、ペパーミント油、スペアミント油、ガジュツ油などの着色剤の性質を有する油、カミツレ油、ユーカリ油などの緩衝剤の性質を有する油、セイヨウヤマハッカ油などの植物性の油、茶油などの抗菌性を有する油、トコトリエノール油などの抗酸化剤の性質を有する油、タンジェリン油およびレモングラス油などの芳香性を有する油、オレイン酸、リノール酸、ラウリン酸などの油の脂肪酸誘導体、オレアミド、オレイン酸プロピル、およびオレイルアルコールなどの油の置換脂肪酸誘導体をオイル剤として使用することができる。これらのオイル剤は、脂取りシートを製造してから使用者が使用するまでの間にシートから揮発してしまうほどに高い揮発性を有していない。
【００５０】
また、ミネラルオイルや合成油もまた画像形成性オイル剤として使用することができる。この範疇に属するオイル剤の例として、以下に列挙するものに限定されるわけではないけれども、鉱油、石油、直鎖及び分岐鎖炭化水素及びその誘導体を挙げることができる。
【００５１】
上記したようなオイル剤は、プラスチックフィルムの空孔率、所望とする絵柄及び吸脂表示効果などのファクタに応じていろいろな量で多孔質延伸プラスチックフィルムに適用し、絵柄を備えた化粧用脂取りシートを形成することができる。オイル剤の適用量は、そのプラスチックフィルムの空孔を少なくとも部分的に充填して所望の絵柄をそのフィルムに対して付与するのに十分な量である。オイル剤の好適な適用量は、上記したようにいろいろなファクタに依存して変化するので一概には言うことができないけれども、通常、約０．１〜１ｍｇ／ｃｍ2の範囲である。なお、プラスチックフィルムが互いに組み合わさった複数の画像領域を備える場合には、それぞれの画像領域に、同一もしくは異なる画像形成性オイル剤を、同一もしくは異なる量で適用することができる。
【００５２】
多孔質延伸プラスチックフィルムに対して、画像形成性オイル剤をいろいろな手法で適用することができる。例えば、塗工法によってオイル剤を適用するのが有利であり、特に印刷法によって適用することが推奨される。適当な印刷法として、例えば、フレキソ印刷法、グラビア印刷法などを挙げることができる。また、これらの印刷法を実施する場合には、オイル剤を溶解するために溶媒を使用することがあるが、安全性の面を考慮して、エタノール、イソプルピルアルコールなどを使用することが好ましい。また、オイル剤に併用して、例えば酸化防止剤などの安定剤を併用してもよい。例えば植物油の多くは、経時的に酸化を被る傾向にあるからである。
【００５３】
本発明の化粧用脂取りシートは、いろいろな形態で提供することができる。例えば、脂取りシートの使い捨てパッケージの形で提供するのが一般的である。個々の脂取りシートは、積重ねられた配置でパッケージに入っている。「積重ね」とは、一枚の脂取りシートの一面が、パッケージ内で隣接する脂取りシートの一面の全部又はかなりの部分を覆って、一面の全部又はかなりの部分と連続的に接触していることを意味する。一般的に、１個のパッケージには、脂取りシートが少なくとも２枚以上、好ましくは約１０〜１０００枚入っている。
【００５４】
脂取りシートは、任意の好適なサイズとすることができる。脂取りシートは、一般的に、ほとんどの用途で、約１０〜１００ｃｍ2、好ましくは約２０〜５０ｃｍ2の表面積である。従って、脂取りシートはパッケージに挿入するのに好適なサイズを有し、このパッケージは、使用者のバッグやポケットに容易に入れられる。使い捨て容器を形成する材料は、一般に重要ではなく、好適な紙、プラスチック、紙とフィルムのラミネートなどで形成することができる。この使い捨て容器の形状は、一般に長方形であるが、楕円形又は円形などの他の好適な形状を使用することもできる。
【実施例】
【００５５】
引き続いて、本発明をその実施例について説明する。なお、下記の実施例において、「部」は、特に断りのある場合を除いて「重量部」を意味する。また、本発明は下記の実施例に限定されるものではないことを理解されたい。
【００５６】
作製例
多孔質延伸プラスチックフィルムの作製
下記の原料を記載の配合量で２軸押出し機に投入し、溶融混合した。
ポリプロピレン樹脂（ユニオン・カーバイド社から商品名「５Ｄ４５」として入手可能）
６３．３部
鉱油（アモコ・オイル・アンド・ケミカル社から商品名「Ｗｈｉｔｅ Ｍｉｎｅｒａｌ Ｏｉｌ ＃３１」として入手可能）                                ３４．０部
有機核剤（ヘキスト・セラネーズ社から商品名「ＢｌｕｅＰ−５２６」として入手可能）
２．７５部
次いで、得られた溶融混合物を押し出しダイから冷却ロール上にキャストして成膜した。得られたフィルムを２軸延伸（長手方向に１．８倍、幅方向に１．８倍）した。得られた青色の多孔質延伸プラスチックフィルムは、次のような特徴を有していた。
厚さ                                  ３５μｍ
空孔率                                ２５％
単位面積当たりの空隙体積              ０．０００８７５ｃｍ3／ｃｍ2
この青色に着色された多孔質延伸プラスチックフィルムは、極めてしなやかな肌触りがあり、さらに処理を施さなくとも脂取りシートとして使用可能であった。
【００５７】
画像形成性オイル剤の選択
上記のようにして作製した多孔質延伸プラスチックフィルムを長さ９cm×幅６cmの矩形に切断して供試フィルムを作成した。
【００５８】
一方、下記の第１表に記載されるように、化粧品原料と一般的に知られており、かつ２０℃における粘度を異にする合計９種類のオイル状液体（比較例１〜５及び実施例１〜４）を用意した。次いで、化粧用脂取りシートを作製するため、それぞれのオイル状液体を供試フィルムの片面に直径１ｃｍの水玉模様でフレキソ印刷した。供試フィルムにおいて、オイル状液体の印刷前及び印刷後のΔＬ*値が４となるように印刷条件を統一した。なお、ΔＬ*値は、次のような手法で測定した。
【００５９】
〔ΔＬ*値の測定〕
オイル状液体を印刷する前の供試フィルムの色度（初期Ｌ*値）を反射法に従い色差計（商品名「ＳＺ−Σ８０」、日本電色工業製）で測定した。次いで、オイル状液体を印刷した後の色度（オイル充填後Ｌ*値）を同じく反射法に従い測定した。次いで、これらの測定値から、下記の式に従ってΔＬ*値を求めた。
ΔＬ*値＝初期Ｌ*値−オイル充填後Ｌ*値
【００６０】
供試フィルムに印刷した後のオイル状液体の安定性を確認するため、供試フィルムを６０℃のオーブンに入れて保管し、脂取りシートに印刷した水玉模様の経時的変化（消失の有無）を目視により評価した。
【００６１】
また、２０人のモニターを用意し、それぞれの脂取りシートの色、臭い、使用感などを評価し、さらに使用中に皮脂を非常によく吸収できたと感じられたものを良好、ある程度の吸収があったと感じられたものを可、あまり吸収しなかったと感じられたものを不可とした。最後に、「印刷後の安定性」及び「使用感など」の評価結果から、○（良好）、△（可）及び×（不可）の３段階で総合判定した。下記の第１表に記載されるような評価結果及び判定結果が得られた。
【００６２】
【表１】
2006187513.tif 000003
【００６３】
上記第１表に記載の結果から、５ｃｐ以下の粘度を有するオイル状液体では加熱後数日のうちに水玉模様が消え、画像形成性オイル剤としての使用に適していないことがわかる。これに対して、粘度が１０ｃｐ以上のオイル状液体は、過酷な加熱条件下でも水玉模様が安定に保持され、画像形成性オイル剤として好適であることがわかる。また、一部のオイル状液体は臭いを伴い、また別のものは吸湿性があるので、いずれも本発明の実施に適さないことがわかる。
【００６４】
印刷実験１
前記作製例に記載の手法に従って、下記の第２表に記載のように異なる色をもった合計６種類の多孔質延伸プラスチックフィルムを作製し、さらにこれを長さ９cm×幅６cmの矩形に切断して供試フィルムを作成した。
【００６５】
次いで、２０℃の粘度が１７ｃｐである実施例２のオイル状液体、トリカプリル／カプリン酸グルセリド（ＧＴＣＣ、クローダジャパン社製）を用意し、１７５線のグラビア印刷機で供試フィルムに印刷した。グラビア印刷機は、版調３０、５０、７０、９０及び１００％の線を切ったグラビアロールを備えていた。
【００６６】
次いで、オイル状液体を印刷する前の供試フィルムの色度（初期Ｌ*値）とオイル状液体を印刷した後の色度（オイル充填後Ｌ*値）を反射法に従い色差計（商品名「ＳＺ−Σ８０」、日本電色工業製）で測定し、両者の測定値からΔＬ*値を求めた。
また、供試フィルムの背面に黒板を載置した状態で、それぞれの線画の鮮明さを目視で判定した。下記の第２表に記載するようなΔＬ*値及び判定結果が得られた。
【００６７】
【表２】
2006187513.tif 000004
【００６８】
上記第２表に記載の結果から、目視試験の場合、ΔＬ*値が２．３以上であれば線画（柄）を視認することができ、３．２以上であればより鮮明に柄を視認することができることがわかる。
【００６９】
印刷実験２
前記印刷実験１に記載の手法に従って実験を実施したけれども、本例の場合、下記の第３表に記載するように、顔面の皮脂量を異にする５人のモニターＡ〜Ｅを用意した。また、１枚の供試フィルムにそれぞれ隣接して配置されたエリア１、２及び３（それぞれ、１ｃｍ×１ｃｍ）を設定し、２０℃の粘度が１７ｃｐである実施例２のオイル状液体、トリカプリル／カプリン酸グルセリド（ＧＴＣＣ、クローダジャパン社製）をグラビア印刷機で印刷した。エリア毎にグラビアロールの版調を変更し、エリア１は５０％、エリア２は７０％、そしてエリア３は９０％であった。また、オイル状液体を印刷する前の供試フィルムの色度（初期Ｌ*値）とオイル状液体を印刷した後の色度（オイル充填後Ｌ*値）からΔＬ*値を求めたところ、エリア１は４．１、エリア２は６．７、そしてエリア３は８．１であった。
【００７０】
次いで、供試フィルムを化粧用脂取りシートとして使用して、５人のモニターによる実使用試験を実施した。それぞれの供試フィルムについて、皮脂を吸収してエリア１、２及び３を透明化し得たか否かを目視により観察した。下記の第３表に記載するような判定結果が得られた。
【００７１】
【表３】
2006187513.tif 000005
【００７２】
上記第３表に記載の結果から、モニター毎に皮脂量が異なるため、１人のモニターであってもエリア１〜３において透明化するものと透明化しないものとがあること、さらにはモニター間においてもバラツキのあることがわかる。換言すると、本発明の脂取りシートを使用すると、それぞれのモニターについて、ひいては使用者全員について、皮脂量の多少を一目で判定することができる。
【図面の簡単な説明】
【００７３】
【図１】本発明による化粧用脂取りシートの好ましい１形態を示した斜視図である。
【図２】図１の化粧用脂取りシートの使用後の状態を示した斜視図である。
【符号の説明】
【００７４】
１    多孔質延伸プラスチックフィルム
１０    化粧用脂取りシート
１１    画像領域
１２    画像領域
１３    画像領域
【図１】
2006187513.tif 000006
【図２】
2006187513.tif 000007